(57)【特許請求の範囲】
【請求項１】
一対の支持部材間に巻取軸を回転可能に支持し、前記巻取軸からスクリーンを垂下し、操作装置の操作により前記巻取軸を回転させて前記スクリーンを昇降可能とし、前記巻取軸内には該巻取軸に前記スクリーンの引き上げ方向の回転力を付与する付勢装置を有するロールブラインドにおいて、
前記操作装置は、
前記付勢装置の支点を一方の支持部材に確保した状態で、前記一対の支持部材にそれぞれ回転可能に支持されて、その回転力を前記巻取軸に伝達可能とした一対の回転力伝達手段と、
前記回転力伝達手段の少なくともいずれかに設けられ、該回転力伝達手段を回転させる操作手段と、
前記回転力伝達手段を覆うカバーとから構成し、
前記カバーは、その一部を開閉可能とすることで前記支持部材に着脱可能としたことを特徴とするロールブラインドの操作装置。
【請求項２】
前記回転力伝達手段は、
前記支持部材の支軸に回転可能に支持されたプーリと、
プーリ及び巻取軸に嵌合して、前記プーリの回転力を前記巻取軸に伝達するパイプキャップと
から構成し、
前記付勢装置は、その一端部を前記支軸の中心部に固定したことを特徴とする請求項１に記載のロールブラインドの操作装置。
【請求項３】
前記操作手段は、前記プーリに掛装された操作コードで構成し、前記操作コードが掛装されたプーリを覆う前記カバーは、該操作コードを引き出し可能とするように下方を開口したことを特徴とする請求項１又は２に記載のロールブラインドの操作装置。
【請求項４】
一対の支持部材間に巻取軸を回転可能に支持し、前記巻取軸からスクリーンを垂下し、操作装置の操作により前記巻取軸を回転させて前記スクリーンを昇降可能とし、前記巻取軸内には、該巻取軸に前記スクリーンの引き上げ方向の回転力を付与する付勢装置と、該付勢装置により付与される回転力に抗して前記スクリーンを所望の引き下げ位置に維持するクラッチ装置とを有するロールブラインドにおいて、
前記操作装置は、
前記付勢装置の支点を一方の支持部材に確保し、且つ前記クラッチ装置の支点を他方の支持部材に確保した状態で、前記一対の支持部材にそれぞれ回転可能に支持されるプーリと、
前記プーリ及び巻取軸に嵌合して、前記プーリの回転力を前記巻取軸に伝達するパイプキャップと、
前記プーリの少なくともいずれかに設けられ、該プーリを回転させる操作コードと、
前記プーリを覆うカバーとから構成し、
前記カバーは、その一部を開閉可能とすることで前記支持部材に着脱可能としたことを特徴とするロールブラインドの操作装置。
【請求項５】
一対の支持部材間に巻取軸を回転可能に支持し、前記巻取軸からスクリーンを垂下し、操作装置の操作により前記巻取軸を回転させて前記スクリーンを昇降可能としたロールブラインドにおいて、
前記操作装置は、
前記一対の支持部材にそれぞれ回転可能に支持される一対のプーリと、
前記プーリ及び巻取軸に嵌合して、前記プーリの回転力を前記巻取軸に伝達するパイプキャップと、
前記プーリの少なくともいずれかに設けられ、該プーリを回転させる操作コードと、
前記プーリを覆うカバーとから構成し、
前記カバーは、その一部を開閉可能とすることで前記一対の支持部材に着脱可能とし、前記操作コードが掛装されるプーリを覆う前記カバーは、該操作コードを引き出し可能とするように下方を開口したことを特徴とするロールブラインドの操作装置。
【発明の詳細な説明】
【０００１】
【発明の属する技術分野】
この発明は、ロールブラインドのスクリーンを昇降操作する操作装置に関するものである。
【０００２】
【従来の技術】
従来、ロールブラインドの一種類として、スクリーンを昇降操作する操作装置が巻取軸の右側端部（以下、右操作）又は左側端部（以下、左操作）に設けられ、その操作装置を操作して巻取軸を回転させ、スクリーンを昇降可能としたものがある。
【０００３】
このようなロールブラインドでは、操作装置は巻取軸の左右いずれか一端部にのみ設けられているため、例えば、右操作用のロールブラインドが取り付けられていて、家具等を移動すると、右操作用ではスクリーンの昇降操作が困難になる場合が生じていた。このような場合には、右操作用のロールブラインドを一部分解して、左操作用のロールブラインドに組み立て直す必要が生じるため、操作位置の左右転換を容易に行うことができず、その作業が煩雑なものとなっていた。
【０００４】
又、ロールブラインドを取り付ける窓の位置に応じて、右操作用と左操作用のロールブラインドを準備する必要があるため、製造コストの上昇を招く原因にもなっていた。
【０００５】
そこで、特公平３−５５６３８号公報では、スクリーンの巻取軸を回転可能に固定する保持ケースと、スクリーンの巻取操作を行う操作装置とが各々独立して設けられた構成が開示されている。このロールブラインドでは、前記操作装置と保持ケースとを連結ピン等によって接続可能となっていて、操作装置の接続位置を巻取軸の右側端部あるいは左側端部に切り換えることにより、操作位置を左右転換可能となっている。
【０００６】
又、特開平８−１７７３５０号公報に開示されている操作装置は、巻取軸の両端に同一形状のスプロケットと、該スプロケットを軸支して巻取軸の両端を塞ぐキャップとを有し、前記スプロケットのいずれかに操作コードを掛装し、この操作コード側のキャップには該操作コードの操作停止時にスプロケットの回転を制止させる制動部材が内蔵されている。
【０００７】
そして、操作位置を左右転換するには、巻取軸両端のキャップを外して操作コードを他方のスプロケットに掛け替えるとともに、制動部材を他方のキャップに設けることで可能となっている。
【０００８】
【発明が解決しようとする課題】
ところが、特公平３−５５６３８号公報に開示されたロールブラインドの構成では、上記したように、巻取軸を保持する保持ケースと操作装置とは別体に設けられているため、該操作装置と前記巻取軸を連結するさらに別個のピンが必要となり、製造コストの上昇を招く原因となっていた。
【０００９】
又、操作位置の左右転換を行う場合に、ロールブラインドを分解する必要性は解消されるが、巻取軸と操作装置との接続時に前記ピンを必要とするため、作業に多少の煩わしさがある。
【００１０】
又、特公平３−５５６３８号公報、及び特開平８−１７７３５０号公報に開示されている操作装置は、スクリーン引き上げ方向の回転力を付与するスプリングモータ等の付勢装置を具備するロールブラインドには適用できない構成となっていた。このため、従来の操作装置は、付勢装置等を具備しない小型のロールブラインドにのみ搭載可能であり、操作位置の左右転換が可能なロールブラインドは限られたものだけであった。
【００１１】
本発明は、従来の構成が抱える問題を解決するためになされたものであって、その目的は、右操作用から左操作用に容易に転換可能であり、且つ大型のロールブラインドにも適用可能とした操作装置を提供することにある。
【００１２】
【課題を解決するための手段】
請求項１では、一対の支持部材間に巻取軸を回転可能に支持し、前記巻取軸からスクリーンを垂下し、操作装置の操作により前記巻取軸を回転させて前記スクリーンを昇降可能とし、前記巻取軸内には該巻取軸に前記スクリーンの引き上げ方向の回転力を付与する付勢装置を有するロールブラインドにおいて、前記操作装置は、前記付勢装置の支点を一方の支持部材に確保した状態で、前記一対の支持部材にそれぞれ回転可能に支持されて、その回転力を前記巻取軸に伝達可能とした一対の回転力伝達手段と、前記回転力伝達手段の少なくともいずれかに設けられ、該回転力伝達手段を回転させる操作手段と、前記回転力伝達手段を覆うカバーとから構成し、前記カバーは、その一部を開閉可能とすることで前記支持部材に着脱可能とした。
【００１３】
請求項２では、前記回転力伝達手段は、前記支持部材の支軸に回転可能に支持されたプーリと、プーリ及び巻取軸に嵌合して、前記プーリの回転力を前記巻取軸に伝達するパイプキャップとから構成し、前記付勢装置は、その一端部を前記支軸の中心部に固定した。
【００１４】
請求項３では、前記操作手段は、前記プーリに掛装された操作コードで構成し、前記操作コードが掛装されたプーリを覆う前記カバーは、該操作コードを引き出し可能とするように下方を開口した。
【００１５】
請求項４では、一対の支持部材間に巻取軸を回転可能に支持し、前記巻取軸からスクリーンを垂下し、操作装置の操作により前記巻取軸を回転させて前記スクリーンを昇降可能とし、前記巻取軸内には、該巻取軸に前記スクリーンの引き上げ方向の回転力を付与する付勢装置と、該付勢装置により付与される回転力に抗して前記スクリーンを所望の引き下げ位置に維持するクラッチ装置とを有するロールブラインドにおいて、前記操作装置は、前記付勢装置の支点を一方の支持部材に確保し、且つ前記クラッチ装置の支点を他方の支持部材に確保した状態で、前記一対の支持部材にそれぞれ回転可能に支持されるプーリと、前記プーリ及び巻取軸に嵌合して、前記プーリの回転力を前記巻取軸に伝達するパイプキャップと、前記プーリの少なくともいずれかに設けられ、該プーリを回転させる操作コードと、前記プーリを覆うカバーとから構成し、前記カバーは、その一部を開閉可能とすることで前記支持部材に着脱可能とした。
【００１６】
請求項５では、一対の支持部材間に巻取軸を回転可能に支持し、前記巻取軸からスクリーンを垂下し、操作装置の操作により前記巻取軸を回転させて前記スクリーンを昇降可能としたロールブラインドにおいて、前記操作装置は、前記一対の支持部材にそれぞれ回転可能に支持される一対のプーリと、前記プーリ及び巻取軸に嵌合して、前記プーリの回転力を前記巻取軸に伝達するパイプキャップと、前記プーリの少なくともいずれかに設けられ、該プーリを回転させる操作コードと、前記プーリを覆うカバーとから構成し、前記カバーは、その一部を開閉可能とすることで前記一対の支持部材に着脱可能とし、前記操作コードが掛装される前記プーリを覆う前記カバーは、該操作コードを引き出し可能とするように下方を開口した。
【００１７】
【発明の実施の形態】
以下、本発明を具体化した一実施の形態を図１〜図５に基づいて説明する。
図１に示すように、ロールブラインドは、窓の上枠等に取付金具を介して取着される取付フレーム１の両端に支持ブラケット２ａ，２ｂが取着され、その支持ブラケット２ａ，２ｂ間に巻取軸３が回転可能に支持されている。そして、巻取軸３からスクリーン４が垂下され、前記巻取軸３の回転に基づいてスクリーン４が昇降されるようになっている。
【００１８】
図２に示すように、前記支持ブラケット２ａ側における前記巻取軸３内の一端部には、該巻取軸３にスクリーン４の引き上げ方向の回転力を付与する付勢装置としてのスプリングモータ５が配設されている。このスプリングモータ５は、捩りコイルスプリング５ａで構成され、前記スプリングモータ５の一端は前記支持ブラケット２ａに回転不能に支持され、他端は前記巻取軸３に固定されている。
【００１９】
そして、前記巻取軸３がスクリーン４の引き下げ方向に回転されると、前記捩りコイルスプリング５ａが蓄勢され、その蓄勢力に基づいてスクリーン４を引き上げ可能となっている。
【００２０】
図３に示すように、前記支持ブラケット２ａには、前記スプリングモータ５の一端を回転不能に支持する支軸としてのブラケットシャフト６ａがネジ等により回転不能に取着され、該ブラケットシャフト６ａには、回転力伝達手段としてプーリ７ａが回転可能に設けられる。
【００２１】
又、前記回転力伝達手段として前記プーリ７ａの先端部には、該プーリ７ａに対し相対回転不能にパイプキャップ８ａが係合され、該パイプキャップ８ａは前記巻取軸３の一端部において、図２に示すように、巻取軸３の内周面に嵌挿されている。即ち、前記ブラケットシャフト６ａに対しプーリ７ａが回転されると、前記パイプキャップ８ａと一体に前記巻取軸３が回転されるようになっている。
【００２２】
そして、前記ブラケットシャフト６ａには、前記プーリ７ａの基端部を覆うようにして円筒状のシャフトカバー９が嵌合される。このシャフトカバー９は一部が開閉可能となっていて、前記支持ブラケット２ａの下方からブラケットシャフト６ａに取着可能となっている。
【００２３】
図４に示すように、前記支持ブラケット２ｂ側における前記巻取軸３内の他端部には、前記スプリングモータ５により付与される回転力に抗して前記スクリーン４を所望の引き下げ位置に維持する公知のクラッチ装置１０が配設される。
【００２４】
このクラッチ装置１０は、前記支持ブラケット２ｂに回転不能に支持されるクラッチドラム１１と、そのクラッチドラム１１の外周面に形成されたガイド溝１２と、前記巻取軸３の内周面に嵌着されて、前記クラッチドラム１１の周囲を前記巻取軸３と一体に回転するクラッチケース１３と、該クラッチケース１３と前記クラッチドラム１１との間で前記ガイド溝１２に沿って移動するクラッチボール１４とから構成されている。
【００２５】
図５に示すように、前記支持ブラケット２ｂには、前記クラッチドラム１１を回転不能に支持する支軸としてのブラケットシャフト６ｂがネジ等により回転不能に取着され、該ブラケットシャフト６ｂには、回転力伝達手段としてプーリ７ｂが回転可能に設けられる。
【００２６】
又、前記回転力伝達手段として前記プーリ７ｂの先端部には、該プーリ７ｂに対し相対回転不能にパイプキャップ８ｂが係合され、該パイプキャップ８ｂは前記巻取軸３の他端部において、図４に示すように、巻取軸３の内周面に嵌挿されている。又、前記プーリ７ｂの基端部には、前記巻取軸３を回転操作する操作手段としてボールチェーン等にてなる無端状の操作コード１５が掛装されている。
【００２７】
尚、前記支持ブラケット２ａに設けられるブラケットシャフト６ａ、プーリ７ａ、及びパイプキャップ８ａと、支持ブラケット２ｂに設けられるブラケットシャフト６ｂ、プーリ７ｂ、及びパイプキャップ８ｂとは同一形状を成しており、前記操作コード１５は、前記支持ブラケット２ａ側におけるプーリ７ａにも掛装可能である。
【００２８】
そして、操作コード１５を操作して、前記ブラケットシャフト６ｂに対しプーリ７ｂを回転させると、前記パイプキャップ８ｂと一体に前記巻取軸３が回転される。このとき、前記クラッチ装置１０は、巻取軸３がスクリーン４の引き下げ方向に回転されると、クラッチボール１４がガイド溝１２に沿って移動して、クラッチケース１３がクラッチドラム１１の周囲を自在に回転するため、スクリーン４を所望位置まで引き下げ可能である。
【００２９】
又、スクリーン４を所望位置まで引き下げた状態で操作コード１５を手放すと、クラッチボール１４がガイド溝１２に係合して、クラッチケース１３の回転が阻止されるため、前記スプリングモータ５の付勢力に抗してスクリーン４を所望位置に維持する。そして、この状態から操作コード１５を操作して、スクリーン４を僅かに引き下げれば、クラッチボール１４とガイド溝１２との係合が解除され、スプリングモータ５の付勢力に基づいてスクリーン４が引き上げられるようになっている。
【００３０】
前記ブラケットシャフト６ｂには、前記シャフトカバー９と同じく、一部を開閉可能としたプーリカバー１６が前記支持ブラケット２ｂの下方から前記ブラケットシャフト６ｂに取着可能となっている。このプーリカバー１６は、約半周に亘って縮幅されている。従って、プーリカバー１６がブラケットシャフト６ｂに取着される状態では、図１に示すように、プーリ７ｂの基端部上方のみ覆われて操作コード１５を操作可能となっている。
【００３１】
さて、上記のように構成されたロールブラインドの操作装置で、図１に示すように、操作コード１５が支持ブラケット２ｂ側のプーリ７ｂに掛装されている位置から操作位置を左右転換するには、まず、巻取軸３の両側におけるシャフトカバー９及びプーリカバー１６を取り外す。
【００３２】
次いで、操作コード１５の掛け位置をプーリ７ｂから巻取軸３より垂下されるスクリーン４を跨がせてプーリ７ａに変更する。そして、支持ブラケット２ａ側のブラケットシャフト６ａにプーリカバー１６を嵌合し、支持ブラケット２ｂ側のブラケットシャフト６ｂにシャフトカバー９を嵌合することによって操作位置を変更することができる。
【００３３】
つまり、巻取軸３の両側におけるプーリ７ａ，７ｂのいずれかに操作コード１５を掛装した後は、操作コード１５を有する側にプーリカバー１６を嵌合させ、他側にはシャフトカバー９を嵌合させる。
【００３４】
従って、上記のように構成されたロールブラインドの操作装置では、以下の作用効果を得ることができる。
（１）プーリ７ａ，７ｂを予め両支持ブラケット２ａ，２ｂに設けたため、操作コード１５の掛け位置をプーリ７ａあるいはプーリ７ｂのいずれかに変更するだけで操作位置の左右転換を容易に行うことができる。
【００３５】
（２）プーリ７ａ，７ｂには、該プーリ７ａ，７ｂの回転に基づいて巻取軸３を回転させるパイプキャップ８ａ，８ｂを設けたため、スクリーン４の昇降動作の操作位置を、右操作あるいは左操作のいずれも可能とすることができる。
【００３６】
（３）支持ブラケット２ａ，２ｂにそれぞれ左右一対に設けられるブラケットシャフト６ａ，６ｂ、プーリ７ａ，７ｂ、及びパイプキャップ８ａ，８ｂは、同一形状で構成した。従って、製造コストの上昇を防止することができる。
【００３７】
（４）操作位置の左右転換を行うには、シャフトカバー９及びプーリカバー１６をそれぞれ外して操作コード１５の掛け位置を変更した後に、該操作コード１５側にプーリカバー１６、他側にシャフトカバー９を嵌合するだけでよい。即ち、巻取軸３、スクリーン４等の取り外しは不要であり、操作位置の左右転換を容易に行うことができる。
【００３８】
（５）操作コード１５を設けないプーリには、該プーリの外周面を覆うようにしてブラケットシャフトに嵌合可能とした円筒状のシャフトカバー９を設けた。従って、操作位置としない側でプーリが露出されないため、美観を損なうことはない。
【００３９】
（６）付勢装置としてのスプリングモータ５及びクラッチ装置１０を回転不能に支持するブラケットシャフト６ａ，６ｂを設け、該ブラケットシャフト６ａ，６ｂに対しプーリ７ａ，７ｂを回転可能に設けたため、大型のロールブラインドにも適用可能となる。
【００４０】
前記実施の形態は、以下のように変更して具体化してもよい。
・前記実施の形態では、操作コード１５は支持ブラケット２ｂ側、即ちプーリ７ｂにのみ設けたが、プーリ７ａ及びプーリ７ｂともに設けて、巻取軸３の両側で操作可能とする構成としてもよい。この場合には、巻取軸３の両側にプーリカバー１６を設ける。
・前記実施の形態において、支持ブラケットとブラケットシャフトを一体に形成してもよい。
・前記実施の形態において、プーリ７ａ，７ｂとパイプキャップ８ａ，８ｂとを一体に形成してプーリ７ａ，７ｂを巻取軸３の内周面に嵌挿し、プーリ７ａ，７ｂで巻取軸３を回転させることとしてもよい。
・前記実施の形態は、スプリングモータ５等の付勢装置を有するロールブラインドに適用したが、付勢装置等を有さないロールブラインドに適用することもできる。
【００４１】
次に、前記実施の形態から把握できる請求項に記載した発明以外の技術的思想について記述する。
（１）プーリ及びパイプキャップは、巻取軸の両側において同一形状とした。この構成により、製造コストの上昇を防止できる。
【００４２】
（２）前記支持部材は、支持ブラケットと、その支持ブラケットに回転不能に取着されるブラケットシャフトとから構成され、前記ブラケットシャフトは、付勢装置の一端部を該ブラケットシャフトの中心部に固定するとともに、前記プーリを回転可能に支持した。
【００４３】
【発明の効果】
以上詳述したように、この発明は、右操作用から左操作用に容易に転換可能であり、且つ大型のロールブラインドにも適用可能とした操作装置を提供することができる。
【図面の簡単な説明】
【図１】  ロールブラインドの一実施の形態を示す正面図である。
【図２】  ロールブラインドの一実施の形態を示す断面図である。
【図３】  ロールブラインドの操作装置を示す分解斜視図である。
【図４】  ロールブラインドの一実施の形態を示す断面図である。
【図５】  ロールブラインドの操作装置を示す分解斜視図である。
【符号の説明】
２ａ，２ｂ    支持部材（支持ブラケット）
３            巻取軸
４            スクリーン
５            付勢装置（スプリングモータ）
６ａ，６ｂ    支持部材（ブラケットシャフト）
７ａ，７ｂ    回転力伝達手段（プーリ）
８ａ，８ｂ    回転力伝達手段（パイプキャップ）
１５          操作手段（操作コード）
【図１】
0003730852.tif 000002
【図２】
0003730852.tif 000003
【図３】
0003730852.tif 000004
【図４】
0003730852.tif 000005
【図５】
0003730852.tif 000006